(57)【要約】      （修正有）【課題】押圧行程を短縮することなく、大幅にスイッチ全体の高度を短縮できる薄型スイッチ装置を提供すること。【解決手段】薄型スイッチ装置１０は圧接アセンブリの上ボタン１３が支持部１３１を具えて収容室１１１内に制限され、且つ上ボタンに接合溝１３２が設けられ、下ボタン１４が接合溝内に位置決め可能で且つ接合溝位置決めエリアを超過しない受圧部１４１と、受圧部と弾性手段１２の間に設けられた圧接部１４２で構成され、この構成により上ボタンと下ボタンが有効にその形状を改変して全体高度を低くすることができるが、この形状の改変が押圧行程に影響を与えない。【選択図】図５
0003102120.tif 000002
【実用新案登録請求の範囲】
【請求項１】
座体（１１）を具え、該座体（１１）に上方が開放状の中空収容室（１１１）が設けられ、該中空収容室（１１１）に電極部（１１２）が設けられ、且つ該電極部（１１２）の上に弾性手段（１２）が設けられ、該弾性手段（１２）の上に上ボタン（１３）と下ボタン（１４）からなる圧接アセンブリが設けられ、該座体（１１）の上に中空収容室（１１１）を閉じるカバー（１５）が設けられ、該カバー（１５）に上ボタン（１３）を突出させる貫通孔（１５１）が設けられた薄型スイッチ装置において、
該上ボタン（１３）はその中空収容室（１１１）からの脱出を防止する支持部（１３１）を具えているほか、接合溝（１３２）が設けられ、下ボタン（１４）が、接合溝（１３２）内に位置決めされ且つ接合溝（１３２）の位置決めエリアを超過しない受圧部（１４１）と、該受圧部（１４１）と弾性手段（１２）の間に設けられた圧接部（１４２）で構成されたことを特徴とする、薄型スイッチ装置。
【請求項２】
請求項１記載の薄型スイッチ装置において、受圧部（１４１）が緊密に嵌合される方式で接合溝（１３２）内に位置決めされたことを特徴とする、薄型スイッチ装置。
【請求項３】
請求項１記載の薄型スイッチ装置において、受圧部（１４１）と接合溝（１３２）の間にギャップ（１４３）が設けられたことを特徴とする、薄型スイッチ装置。
【考案の詳細な説明】
【技術分野】
【０００１】
本考案は一種の薄型スイッチ装置に係り、特に、押圧行程を縮減することなく大幅にスイッチの全体高度を縮減した薄型スイッチ装置に関する。
【背景技術】
【０００２】
電子製品がますます薄型化するにつれ、それに組み合わされる各種のスイッチも押圧行程がクリック感に影響を与えない前提の下で、薄型化されている。図１には本件出願人による特許文献１に記載のタッチスイッチが示され、それは、座体と、円形バネ片と、圧接手段と、カバーを具えている。該座体は絶縁材質で形成されて上方が開放面とされた中空収容室を具え、該座体の中空収容室の中央に第１電極が設けられ、両側に第２電極が設けられ、且つ座体の外側に固定部が設けられ、該座体の外側に固定部が設けられている。円形バネ片は、一体成形された金属導電片とされ、それは外周部と突起部を具え、該円形バネ片は外周部より中央に徐々に隆起して該突起部を形成し、且つ該外周部が上述の座体の第２電極に当接し、該突起部が上述の座体の第１電極と適当な距離を保有し、該円形バネ片が下向きに加圧される時に第１電極に接触し、圧力解除後に回復する弾性を有する。該圧接手段は上述の円形バネ片の上端に設けられ、上ボタンと下ボタンを具え、該上ボタンはプラスチック材質とされて底部が凹部とされ、下ボタンはゴム材質とされ、上部が突出部とされ、下ボタンの突出部が上ボタンの凹部に対応し緊密に組み合わされ、且つ下ボタンの上述の円形バネ片の中央エリアに隣接する。該カバーは、その上方に穿孔が開設され、並びに両側に位置決め部が設けられ、該カバーは上述の座体の外側を被覆するよう結合され、その位置決め部が座体の固定部に係止されて、座体内部に設けられた円形バネ片及び圧接手段を位置決めし、且つ該圧接手段の上ボタンが該カバーの穿孔より突出する。この特許文献１に記載の構造は、上ボタンの表面が長期間平らに且つ滑らかに維持され、ゴム材質の下ボタンが柔らかく円形バネ片に接触することにより、タッチスイッチの使用感がよい。図２は特許文献２に記載の構造を示し、その特許文献１に記載の構造との異なる点は、特許文献２の構造は、弾性駆動体（下ボタン）より下方凸部が延伸されて行程が増されたことにある。
【０００３】
上記二つの従来の技術は、下ボタンがいずれも平板部及び下方凸部を具えているが、このような構造を増設しても真の押圧行程を提供できず、このためこのようなスイッチは一定高度に制限され、更なる縮減を達成できず、既存の電子製品が続けて運用することはできない。
【０００４】
【特許文献１】台湾実用新案公告第３６７０８６号明細書
【特許文献２】台湾実用新案公告第３７８３３２号明細書
【考案の開示】
【考案が解決しようとする課題】
【０００５】
本考案の主要な目的は、既存の押圧行程を短縮することなく、大幅にスイッチ全体の高度を短縮できる薄型スイッチ装置を提供することにある。この薄型スイッチ装置は圧接アセンブリの上ボタンが支持部を具えて収容室内に制限され、且つ上ボタンに接合溝が設けられ、下ボタンが接合溝内に位置決め可能で且つ接合溝位置決めエリアを超過しない受圧部と、受圧部と弾性手段の間に設けられた圧接部で構成され、この構成により上ボタンと下ボタンが有効にその形状を改変して全体高度を低くすることができるが、この形状の改変が押圧行程に影響を与えない。
【課題を解決するための手段】
【０００６】
請求項１の考案は、座体（１１）を具え、該座体（１１）に上方が開放状の中空収容室（１１１）が設けられ、該中空収容室（１１１）に電極部（１１２）が設けられ、且つ該電極部（１１２）の上に弾性手段（１２）が設けられ、該弾性手段（１２）の上に上ボタン（１３）と下ボタン（１４）からなる圧接アセンブリが設けられ、該座体（１１）の上に中空収容室（１１１）を閉じるカバー（１５）が設けられ、該カバー（１５）に上ボタン（１３）を突出させる貫通孔（１５１）が設けられた薄型スイッチ装置において、
該上ボタン（１３）はその中空収容室（１１１）からの脱出を防止する支持部（１３１）を具えているほか、接合溝（１３２）が設けられ、下ボタン（１４）が、接合溝（１３２）内に位置決めされ且つ接合溝（１３２）の位置決めエリアを超過しない受圧部（１４１）と、該受圧部（１４１）と弾性手段（１２）の間に設けられた圧接部（１４２）で構成されたことを特徴とする、薄型スイッチ装置としている。
請求項２の考案は、請求項１記載の薄型スイッチ装置において、受圧部（１４１）が緊密に嵌合される方式で接合溝（１３２）内に位置決めされたことを特徴とする、薄型スイッチ装置としている。
請求項３の考案は、請求項１記載の薄型スイッチ装置において、受圧部（１４１）と接合溝（１３２）の間にギャップ（１４３）が設けられたことを特徴とする、薄型スイッチ装置としている。
【考案の効果】
【０００７】
本考案の薄型スイッチ装置は圧接アセンブリの上ボタンが支持部を具えて収容室内に制限され、且つ上ボタンに接合溝が設けられ、下ボタンが接合溝内に位置決め可能で且つ接合溝位置決めエリアを超過しない受圧部と、受圧部と弾性手段の間に設けられた圧接部で構成され、この構成により上ボタンと下ボタンが有効にその形状を改変して全体高度を低くすることができるが、この形状の改変が押圧行程に影響を与えない。
【考案を実施するための最良の形態】
【０００８】
図３、４は本考案の斜視図及び分解斜視図である。図示されるように、本考案の薄型スイッチ装置（１０）は、座体（１１）を具え、該座体（１１）に上方が開放状の中空収容室（１１１）が設けられ、該中空収容室（１１１）に電極部（１１２）が設けられ、且つ該電極部（１１２）の上に弾性手段（１２）が設けられ、該弾性手段（１２）の上に上ボタン（１３）と下ボタン（１４）からなる圧接アセンブリが設けられ、該座体（１１）の上に中空収容室（１１１）を閉じるカバー（１５）が設けられ、該カバー（１５）に上ボタン（１３）を突出させる貫通孔（１５１）が設けられている。該上ボタン（１３）は上ボタン（１３）の中空収容室（１１１）からの脱出を防止する支持部（１３１）を具えると共に、接合溝（１３２）を具え、下ボタン（１４）が、接合溝（１３２）内に位置決めされ且つ接合溝（１３２）の位置決めエリアを超過しない受圧部（１４１）と、該受圧部（１４１）と弾性手段（１２）の間に設けられた圧接部（１４２）で構成されている。
【０００９】
図５、６は図３のＡ−Ａ断面動作表示図である。図示されるように、該圧接アセンブリの押圧行程は、受圧部（１４１）及び圧接部（１４２）が力を受けて発生する変形量により定まり、もし受圧部（１４１）が緊密に嵌合する方式で接合溝（１３２）内に位置決めされていれば、押圧により形成される圧接部（１４２）の変形量により定まる。図５に示されるように、本考案の薄型スイッチ装置１０は下ボタン（１４）の圧接部（１４２）のみが、上ボタン（１３）より下向きに突出し、このため全体高度が有効に縮減され、制御部分を形成している。使用者の必要により、図７に示されるように、該受圧部（１４１）と接合溝（１３２）の間にはギャップ（１４３）を設けることも可能で、これにより薄型スイッチ装置（１０）の行程が増加して受圧部（１４１）の変形量に圧接部（１４２）の変形量を加えたものとなる。或いは図８に示されるように、受圧部（１４１）を接合溝（１３２）の上半部位置にだけ緊密に組合せることで、圧接部（１４２）の延伸行程を長くしてもよく、これにより、使用者が上ボタン（１３）を押す時に、圧接部（１４２）を完全に変形させて初めて弾性手段（１２）が下圧されて電極部（１１２）に接触して導通状態を形成できるようになる。
【００１０】
図９は圧接部（１４２）が受圧部（１４１）の中央位置に位置する態様を、受圧部（１４１）の円周位置に改変した態様を示す。しかしその露出部分は依然として実体変形部分のみを有し、凸部を具備せず、これによっても全体の薄型スイッチ装置（１０）の薄型化の目的を達成できる。
【００１１】
以上の実施例は本考案の実施範囲を限定するものではなく、本考案に基づきなしうる細部の修飾或いは改変は、いずれも本考案の請求範囲に属するものとする。
【図面の簡単な説明】
【００１２】
【図１】特許文献１のスイッチの組合せ表示図である。
【図２】特許文献２のスイッチの組合せ表示図である。
【図３】本考案の斜視図である。
【図４】本考案の分解斜視図である。
【図５】図３のＡ−Ａ断面動作表示図である。
【図６】図３のＡ−Ａ断面動作表示図である。
【図７】本考案の第２実施例表示図である。
【図８】本考案の第３実施例表示図である。
【図９】本考案の第４実施例表示図である。
【符号の説明】
【００１３】
（１０）スイッチ装置
（１１）座体
（１１１）中空収容室
（１１２）電極部
（１２）弾性手段
（１３）上ボタン
（１３１）支持部
（１３２）接合溝
（１４）下ボタン
（１４１）受圧部
（１４２）圧接部
（１４３）ギャップ
（１５）カバー
（１５１）貫通孔
【図１】
0003102120.tif 000003
【図２】
0003102120.tif 000004
【図３】
0003102120.tif 000005
【図４】
0003102120.tif 000006
【図５】
0003102120.tif 000007
【図６】
0003102120.tif 000008
【図７】
0003102120.tif 000009
【図８】
0003102120.tif 000010
【図９】
0003102120.tif 000011